(57)【特許請求の範囲】
【請求項１】
被検者を乗せるテーブルと、前記テーブルの長手方向に対して直交する方向を軸に前記テーブルを傾斜させると共に該テーブルを上下させる機能を有するテーブル支持装置と、前記テーブル上面に距離を置いて設けられるＸ線管装置と、前記テーブルの下面側に配置され、前記Ｘ線管装置から照射されたＸ線をデジタル信号に変換して出力する平面型Ｘ線検出器と、前記平面型Ｘ線検出器と前記テーブルの間に、フィルムカセッテを支持するカセッテ支持手段とを備えたＸ線撮影装置において、前記フィルムカセッテは、該フィルムカセッテに設けられた面ファスナと、前記平面型X線検出器に設けられた面ファスナを介して前記平面型Ｘ線検出器に近接して装着自在になっていることを特徴とするＸ線撮影装置。
【発明の詳細な説明】
【０００１】
【発明の属する技術分野】
本発明は、Ｘ線撮影装置に係り、特に、Ｘ線透視撮影台を軽量にして撮影装置の移動を容易にし、Ｘ線撮影の自由度を大きくして、平面型Ｘ線検出器を用いたデジタル（ＤＲ）撮影を行うことのできるＸ線撮影装置に関する。
【０００２】
【従来の技術】
従来のＸ線撮影装置は、図４に示す如き構成を有している。すなわち、Ｘ線撮影装置は、Ｘ線撮影を行う被検者を寝載させるベッドで構成されるテーブル３を有している。このテーブル３は、支持枠２によって脚部１に支持されており、この脚部１は、床上に配置されている。そして、この脚部１によって支持枠２が起倒するようになっており、テーブル３は、この支持枠２の起倒よって回転するようになっている。また、ベッドに寝載する被検者の上部に、テーブル３の上面から所定の距離を置いてＸ線管装置（Ｘ線照射装置）４が設けられている。このＸ線管装置（Ｘ線照射装置）４は、支柱５に支持されている。
【０００３】
一方、テーブル３の下面側には、映像装置（イメージインテンシファイア  Ｉ．Ｉ．）６と、映像装置支持部７と、速写機構部８とが設けられている。この映像装置（Ｉ．Ｉ．）６は、Ｘ線を可視光に変換し、テレビ（ＴＶ）カメラ（ＣＣＤ；電荷結合素子）で電気信号に変換し、テレビモニタ上で観察できるもので、透視時に使用される。また、映像装置支持部７は、Ｘ線フィルムの装着されたフィルムカセッテ１１をテーブル３の下面側の特定位置に支持するカセッテ支持部２０と、このカセッテ支持部２０によって支持されるフィルムカセッテ１１の装着位置の下側に撮影用のフィルムを装着保持するフィルムホルダー２１を内蔵して構成されている。さらに、速写機構部８は、未撮影フィルムを複数枚収納しておく未撮影フィルムマガジンと、撮影済のフィルムを収納しておく撮影済収納マガジンとを有しており、撮影時に未撮影フィルムマガジンから未撮影フィルムを取り出して、この未撮影フィルムをフィルムホルダに収納し、このフィルムホルダに収納した未撮影フィルムを撮影位置まで搬送し、撮影した後、この撮影したフィルムを保持しているフィルムホルダを速写機構部８まで搬送して、フィルムホルダに保持されている撮影済のフィルムをフィルムホルダから取り出して撮影済収納マガジンに収納するものである。この撮影済収納マガジンに収納された撮影済フィルムは、全撮影終了後に、速写機構部８から撮影済収納マガジン毎取り出し、現像室に運搬して撮影済フィルムを現像する。
【０００４】
そして、映像装置（Ｉ．Ｉ．）６は、テーブル３の中央よりの映像装置支持部７の下側に、速写機構部８は、映像装置（Ｉ．Ｉ．）６に隣接した映像装置支持部７に支持されている。すなわち、映像装置（Ｉ．Ｉ．）６と速写機構部８は、映像装置支持部７の下部に連設した状態に設けられている。
【０００５】
このように従来のＸ線撮影装置の場合は、テーブル３の下面側に、映像装置（Ｉ．Ｉ．）６によってテレビモニタ上で観察した部位をＸ線フィルムに撮影する未撮影Ｘ線フィルムの装着されたフィルムカセッテ１１を特定位置に支持するカセッテ支持部２０を備えた映像装置支持部７が設けられており、この映像装置支持部７には、カセッテ支持部２０によって支持されるフィルムカセッテ１１の装着位置の下側に連続して複数枚のＸ線フィルムの撮影を行う際に速写機構部８の未撮影フィルムマガジンから取り出した未撮影Ｘ線フィルムを撮影位置に装着保持するフィルムホルダー２１が設けられている。
【０００６】
このように、Ｘ線透視撮影は、映像装置（Ｉ．Ｉ．）６によってテレビモニタ上で観察した部位をカセッテ支持部２０にフィルムカセッテ１１を挿入して、あるいはフィルムカセッテ１１装着位置下部に設けられているフィルムホルダー２１に撮影用のＸ線フィルムを装着して撮影するため、映像装置（Ｉ．Ｉ．）６は、テーブル３の下面側の特定位置にＸ線フィルムの装着されたフィルムカセッテ１１を支持するカセッテ支持部２０と、フィルムカセッテ１１の装着位置の下側に撮影用のフィルムを装着保持するフィルムホルダー２１を備えた映像装置支持部７の下側に設けている。
【０００７】
【発明が解決しようとする課題】
この従来のＸ線撮影装置は、テーブル３の被検者を寝載するベッド高さは、現在、９００ｍｍも有り、Ｘ線撮影を行う被検者は、腰を降ろしてテーブル３の上に乗ることはできず、テーブル３の上に登るような状態で寝載する。このため、使い勝手が悪く、特に車椅子の被検者には、テーブル３の上に乗ることが困難を極め、テーブル３の高さ位置を低くすることが要請されている。
【０００８】
ところが、従来のＸ線撮影装置の場合、映像装置（Ｉ．Ｉ．）６は、テーブル３の下面側の特定位置にＸ線フィルムの装着されたフィルムカセッテ１１を支持するカセッテ支持部２０と、フィルムカセッテ１１の装着位置の下側に撮影用のフィルムを装着保持するフィルムホルダー２１を備えた映像装置支持部７の下側に設けられている。この映像装置支持部７は、カセッテ支持部２０によって支持されるフィルムカセッテ１１の装着位置の下側に撮影用のフィルムを装着保持するフィルムホルダー２１を装着して構成されているため、フィルムカセッテ１１の装着スペースとフィルムホルダー２１の装着スペースの厚さが必要となっている。加えて、この映像装置（Ｉ．Ｉ．）６の高さは、現在６００〜７００ｍｍと特定されており、性能、特性を考慮すると、これ以上コンパクトにつくることはできない状況となっている。このため、テーブル３の被検者が寝載するベッド高さを現在の高さよりも低くすることができないという問題を有している。
【０００９】
また、一般に、Ｘ線透視撮影は、テレビモニタ上で透視部位を観察し、必要に応じてＸ線フィルムを装着してＸ線フィルムに透視映像を撮影する必要があるため、従来のＸ線撮影装置にあっては、テレビモニタ上で観察した透視映像をＸ線フィルムに撮影するフィルムカセッテ１１及び撮影用のＸ線フィルムを保持するフィルムホルダー２１を映像装置（Ｉ．Ｉ．）６とテーブル３の下面側との間に設けている。このようにテーブル３の上に寝載する被検者の透視部位を透過したＸ線（透視映像）は、テーブル３の直下で映像装置（Ｉ．Ｉ．）６に検出されるのではなく、フィルムカセッテ１１及びフィルムホルダー２１を装着するスペースを備えた映像装置支持部７の厚さ分の距離を隔てて検出されことになる。このＸ線透視撮影にあたって被検者の透視部位を透過したＸ線（透視映像）をより鮮明に撮影するためには、テーブル３の下面に最も近い位置に撮影用のＸ線フィルムを装着することが最も有利である。このため、映像装置（Ｉ．Ｉ．）６は映像装置支持部７の下側に設けることになり、被検者の透視部位を透過したＸ線（透視映像）は、この映像装置支持部７の厚さ分だけ広がりをもって映像装置（Ｉ．Ｉ．）６に検出されることになり、拡大率が大きくなり、画質が明瞭でないという問題がある。この映像装置（Ｉ．Ｉ．）６は、テーブル３の直下に設けるのが理想であるが、映像装置支持部７の関係でテーブル３の下面側と映像装置（Ｉ．Ｉ．）６との距離を短くすることができない状態となっている。
【００１０】
また、一般に、Ｘ線透視撮影は、撮影部位にもよるが、胃の透視、腸の透視等、被検者の向きを変えて同一箇所を複数枚撮影する場合には、未撮影のＸ線フィルムを１枚装着したフィルムカセッテ１１を用いて撮影するのでは効率が悪いため、従来のＸ線撮影装置は、未撮影フィルムを複数枚収納する未撮影フィルムマガジンと、撮影済のフィルムを収納する撮影済収納マガジンを備えた速写機構部８を設けている。そして、この速写機構部８は、撮影時に未撮影フィルムマガジンから未撮影フィルムを取り出して撮影位置まで搬送し、撮影した後、撮影済収納マガジンに収納するという一連の動作を行うものであるため、Ｘ線フィルムの搬送距離は短い方がよいため、映像装置（Ｉ．Ｉ．）６に隣接して設けている。このため、速写機構部８が邪魔をして映像装置（イメージインテンシファイアＩ．Ｉ．）６を広い範囲で移動することができないという問題を有している。
【００１１】
本発明の１つの目的は、平面型Ｘ線検出器によってリアルタイム透視ができ、必要に応じてフィルム撮影のできるＸ線撮影装置を提供することにある。
【００１２】
本発明の他の１つの目的は、平面型Ｘ線検出器が故障しても撮影することのできるＸ線
撮影装置を提供することにある。
【００１３】
【課題を解決するための手段】
上記目的を達成するために、本発明は、被検者を乗せるテーブルと、前記テーブルの長手方向に対して直交する方向を軸に前記テーブルを傾斜させると共に該テーブルを上下させる機能を有するテーブル支持装置と、前記テーブル上面に距離を置いて設けられるＸ線管装置と、前記テーブルの下面側に配置され、前記Ｘ線管装置から照射されたＸ線をデジタル信号に変換して出力する平面型Ｘ線検出器と、前記平面型Ｘ線検出器の前記テーブル間に、フィルムカセッテを支持するカセッテ支持手段とを備えるものである。
【００１４】
このように構成することにより、通常は、平面型Ｘ線検出器を用いてＸ線撮影を行い、平面型Ｘ線検出器がダウンした場合であっても、フィルムカセッテでＸ線撮影を行い、Ｘ線撮影装置そのもののダウンを招くことなく、撮影することができ、病院側及び被検者に多大な損害を与えることを防止できる。
【００１５】
【発明の実施の形態】
以下、本発明の実施の形態を説明する。
【００１６】
図１には、本発明の一実施の形態が示されている。
図において、Ｘ線撮影装置は、Ｘ線撮影を行う被検者を寝載させるベッドのテーブル３を有している。このテーブル３は、支持枠２によって脚部１に支持されており、この脚部１は、床上に配置されている。そして、この脚部１によって支持枠２が起倒するようになっており、テーブル３は、この支持枠２の起倒よって回転するようになっている。また、ベッドのテーブル３に寝載する被検者上部に、テーブル３上面から距離を置いてＸ線管装置（Ｘ線照射装置）４が設けられており、このＸ線管装置（Ｘ線照射装置）４は、支柱５に支持されている。
【００１７】
一方、テーブル３の下面側には、Ｘ線管装置（Ｘ線照射装置）４によって照射されたＸ線を光信号（デジタル信号）として検知する平面状に形成される平面型Ｘ線検出器１２が設けられている。この平面型Ｘ線検出器１２は、映像装置支持部１０ａ、１０ｂによって両側が固定されている。そして、この平面型Ｘ線検出器１２とテーブル３の下面との間にフィルムカセッテ１１を平面型Ｘ線検出器１２に近接してセットできるようにカセッテ支持手段３０が設けられている。
【００１８】
このように、図１に図示のＸ線撮影装置は、平面型Ｘ線検出器１２を用いてＸ線管装置（Ｘ線照射装置）４によって照射されたＸ線を光信号（デジタル信号）として検知し、その検知データをもとに画像処理してＸ線撮影を行っている。このため、従来のＸ線撮影装置において設けられていた映像装置（イメージインテンシファイア（Ｉ．Ｉ．）は、設ける必要が無く、テーブル３の下面側には、映像装置（イメージインテンシファイア  Ｉ．Ｉ．）を設けていない。したがつて、テーブル３の高さ位置を大幅に低くすることができ、車椅子を使用した人でも容易にテーブル３の上に上がることができる。
【００１９】
さらには、図１に図示のＸ線撮影装置は、Ｘ線撮影をＸ線フィルムに行うのではなく、Ｘ線管装置（Ｘ線照射装置）４によって照射されたＸ線の透視映像を平面型Ｘ線検出器１２で光信号（デジタル信号）として検知し画像処理することによって行うため、撮影時に未撮影フィルムマガジンから未撮影フィルムを取り出して撮影位置まで搬送し、撮影した後、撮影済収納マガジンに収納するという一連の動作を行う速写機構部を設ける必要が無く、テーブル３の下面側には、速写機構部を設けていない。このように図１に図示のＸ線撮影装置は、従来のＸ線撮影装置のように映像装置（Ｉ．Ｉ．）を取り除き、映像装置（Ｉ．Ｉ．）に隣接して速写機構部を設けていないため、被検者を乗せるベッドのテーブルの軽量化を図ることができ、映像装置である平面型Ｘ線検出器１２の移動を広い範囲で容易に行うことができる。
【００２０】
また、平面型Ｘ線検出器１２がダウンしたときに、フィルムカセッテ１１をカセッテ支持手段３０に装着し、Ｘ線管装置（Ｘ線照射装置）４によって照射されたＸ線によってフィルムカセッテ１１に装着されているフィルムを感光させてＸ線撮影を行う。このようにフィルムカセッテ１１は、平面型Ｘ線検出器１２がダウンしたときに用いるため、常時使用するものではなく、通常は、平面型Ｘ線検出器１２によって行う。
【００２１】
図２には、図１に図示のＸ線撮影装置のカセッテ支持手段３０の具体的な実施の形態が示されている。
図において、カセッテ支持手段３０は、フィルムカセッテ１１をスライドして装着できるように断面矩形状に形成されるレール１３、１４によって構成されている。そして、このレール１３、１４は、フィルムカセッテ１１が平面型Ｘ線検出器１２のテーブル３側表面に接するように配設可能な位置に設けられている。さらに、このレール１３、１４は、平面型Ｘ線検出器１２を支持する映像装置支持部１０ａ、１０ｂに設けられている。
【００２２】
このように平面型Ｘ線検出器１２は、映像装置支持部１０ａ、１０ｂによって両側が固定されており、フィルムカセッテ１１を支持するレール１３、１４はフィルムカセッテ１１の両側に配置され、且つ平面型Ｘ線検出器１２の前面に直接固定されている。このため、フィルムカセッテ１１を支持するレール１３、１４と平面型Ｘ線検出器１２との間は組立性などを考慮して隙間をあける必要がなく、映像装置（イメージインテンシファイア  Ｉ．Ｉ．）６の前面とテーブル３の上面との距離：Ｌ４を、図４に図示の従来のＸ線撮影装置の映像装置（イメージインテンシファイア  Ｉ．Ｉ．）６の前面とテーブル３の上面との距離：Ｌ６よりも小さくすることができる。さらに、カセッテ支持手段３０に装着してフィルムカセッテ１１を用いるのは、平面型Ｘ線検出器１２がダウンしたときであるため、従来のようなＸ線フィルムを複数枚格納しておく速写機構部を設けておらず、速写機構部８を支持する必要がないためテーブル３の長手方向寸法：Ｌ３を、図４に図示の従来のＸ線撮影装置のテーブル３の長手方向寸法：Ｌ５よりも小さくすることができる。
【００２３】
このように、本実施の形態によれば、映像装置（イメージインテンシファイアＩ．Ｉ．）６及びＸ線フィルムを複数枚格納しておく速写機構部を設けていないため、映像装置を支持する映像装置支持部のテーブル長手方向寸法を小さくでき、コストダウン及び映像装置の縦移動ストロークの拡大が図ることができ、映像装置前面とテーブル面の距離を小さくでき、被験者を寝載するテーブルの高さを低くすることができ、高齢者の人、身体が不自由な人、子供等がテーブルの上に乗りやすくすることができる。
【００２４】
さらに、本実施の形態によれば、映像装置の縦移動ストロークが拡大し、撮影範囲を広くすることができ、安全で操作性のよい透視撮影台を備えたＸ線撮影装置を提供することができ、さらに被検者と平面型Ｘ線検出器の距離が小さくなるので、拡大率を小さくすることができ、画質向上を図ることができる。
【００２５】
図３には、図１に図示のＸ線撮影装置のカセッテ支持手段３０の他の実施の形態が示されている。
図において、カセッテ支持手段３０は、フィルムカセッテ１１の一方の面に設けた面ファスナ１５、１６と、平面型Ｘ線検出器１２のテーブル３側の面に設けた面ファスナ１７、１８とによって構成されている。面ファスナとは、一本のテープにフックとループが絡み合って係合する機能を有するものである。この面ファスナ１５、１６は、フィルムカセッテ１１の一面の両側に固定されている。また、平面型Ｘ線検出器１２のテーブル３側の面に設けた面ファスナ１７、１８は、フィルムカセッテ１１に設けた面ファスナ１５、１６と対向する位置に固定されている。
【００２６】
このように構成してあるカセッテ支持手段３０のフィルムカセッテ１１を固定する面ファスナ１７、１８は、薄く形成してあり、平面型Ｘ線検出器１２の前面のテーブル３との間のスペースがほとんど必要なく、被検者に平面型Ｘ線検出器１２をより接近させて使用することができ、映像装置（イメージインテンシファイア  Ｉ．Ｉ．）６の前面とテーブル３の上面との距離：Ｌ４を、図４に図示の従来のＸ線撮影装置の映像装置（イメージインテンシファイア  Ｉ．Ｉ．）６の前面とテーブル３の上面との距離：Ｌ６よりも小さくすることができる。さらに、カセッテ支持手段３０に装着してフィルムカセッテ１１を用いるのは、平面型Ｘ線検出器１２がダウンしたときであるため、従来のようなＸ線フィルムの装着されたカセッテを複数枚格納しておく速写機構部を設けておらず、速写機構部８を支持する必要がないためテーブル３の長手方向寸法：Ｌ３を、図４に図示の従来のＸ線撮影装置のテーブル３の長手方向寸法：Ｌ５よりも小さくすることができる。
【００２７】
このように、本実施の形態によれば、カセッテ支持手段３０をフィルムカセッテ１１の一方の面に設けた面ファスナ１５、１６と、平面型Ｘ線検出器１２のテーブル３側の面に設けた面ファスナ１７、１８とによって構成しているため、フィルムカセッテ１１の装着を簡単に行うことができる。
【００２８】
また、本実施の形態によれば、映像装置（イメージインテンシファイア  Ｉ．Ｉ．）を使用する場合であっても、Ｘ線フィルムの装着されたカセッテを複数枚格納しておく速写機構部を設けていないため、映像装置を支持する映像装置支持部のテーブル長手方向寸法を小さくでき、コストダウン及び映像装置の縦移動ストロークの拡大が図ることができ、映像装置前面とテーブル面の距離を小さくでき、被験者を寝載するテーブルの高さを低くすることができ、高齢者の人、身体が不自由な人、子供等がテーブルの上に乗りやすくすることができる。さらに、本実施の形態によれば、映像装置の縦移動ストロークが拡大し、撮影範囲を広くすることができ、安全で操作性のよい透視撮影台を備えたＸ線撮影装置を提供することができ、さらに被検者と平面型Ｘ線検出器の距離が小さくなるので、拡大率を小さくすることができ、画質向上を図ることができる。
【００２９】
【発明の効果】
以上説明したように、本発明に係るＸ線撮影装置によると、平面型Ｘ線検出器だけでＸ線撮影を行うため、映像装置（イメージインテンシファイア  Ｉ．Ｉ．）、速写機構部を設けず、被検者を乗せるベッドのテーブルの軽量化が図れ、映像装置を支持する映像装置支持部のテーブル長手方向寸法を小さくでき、コストダウン及び映像装置の縦移動ストロークの拡大を図ることができる。
【００３０】
また、映像装置前面とテーブル面の距離を小さくでき、被験者を寝載するテーブルの高さを低くすることができ、高齢者の人、身体が不自由な人、子供等がテーブルの上に乗りやすくなると同時に、映像装置の縦移動ストロークが拡大し、撮影範囲を広くすることができ、安全で操作性のよい透視撮影台を備えたＸ線撮影装置を提供することができる。
【００３１】
さらに、被検者と平面型Ｘ線検出器との距離を小さくすることができるので、拡大率を小さくすることができ、画質向上を図ることができる。
【００３２】
さらに、本発明に係るＸ線撮影装置によると、通常は平面型Ｘ線検出器を用いてＸ線撮影を行い、平面型Ｘ線検出器がダウンしても、カセッテを用いてＸ線撮影を行うことができ、Ｘ線撮影装置そのもののダウンを招くことなく、病院側及び被検者に多大な損害を与
えることを防止することができる。
【図面の簡単な説明】
【図１】本発明に係るＸ線撮影装置の実施の形態を示す図である。
【図２】図１に図示のカセッテ支持手段の実施の形態を示す図である。
【図３】図１に図示のカセッテ支持手段の他の実施の形態を示す図である。
【図４】従来のＸ線撮影装置のＸ線透視撮影台の概略正面図である。
【符号の説明】
３  テーブル
４  Ｘ線管装置
５  支柱
６  映像装置
７  映像装置支持部
１０ａ，１０ｂ  映像装置支持部
１１  フィルムカセッテ
１２  平面型Ｘ線検出器
１３，１４  レール
１５，１６，１７，１８  面ファスナ
３０  カセッテ支持手段
【図１】
0004643864.tif 000002
【図２】
0004643864.tif 000003
【図３】
0004643864.tif 000004
【図４】
0004643864.tif 000005